(57)【要約】【課題】単純な構造で、ケーブルの径の大小に柔軟に対応して、確実な固定を行うことができるノイズ吸収装置を提供すること。【解決手段】筒状磁性体コアを筒の方向に２分割した一対の磁性体コア片１０、１１と、この磁性体コア片１０、１１を収納できるケース分割体１２、１３を備えるノイズ吸収装置において、ケース分割体１２、１３を合体したケースの両端部の中心軸のまわりに形成される開口部とケース外周部との間に切り欠き部１５１〜１５８が、磁性体コア片１０、１１の対向接触面１０１、１０２、１１１、１１２に略垂直かつ筒の中心軸に平行な２つの面に沿って形成され、隣接する２つの切り欠き部の間に形成されたケーブル押さえ片１２３、１２４、１３３、１３４がケーブルの径方向および軸方向に変位する様に、ばね性を付与されている。【選択図】  図１
2004193316.tif 000002
【特許請求の範囲】
【請求項１】
電気ケーブルを貫通させる筒状磁性体コアを前記筒状磁性体コアの軸を含む平面で分割してなる一対の磁性体コア片と、前記磁性体コア片をそれぞれ収納する略半円筒状の一対のケース分割体と、前記ケーブルへの装着時には、前記一対の磁性体コア片を対向接触させて前記筒状磁性体コアを形成すると共に、前記一対のケース分割体を結合してケースを形成する結合手段とを備えるノイズ吸収装置において、前記ケース分割体は、前記略半円筒の円筒面であるケース外周部と、前記略半円筒の端部に設けられた開口半部と、前記ケース外周部および前記開口半部の間に形成された切り欠き部と、隣接する２つの前記切り欠き部の間に形成されたケーブル押さえ片とを有し、前記開口半部は前記ケーブルへの装着時には前記ケーブルが通過する開口部を形成し、前記切り欠き部は、前記磁性体コア片の対向接触面に略垂直かつ前記略半円筒の軸に平行な２つの平面に沿って形成され、前記ケーブル押さえ片は、前記ケーブルへの装着時には、前記ケース分割体の材質および前記切り欠き部の形状に応じて付与されたばね性に従って変形して、前記ケーブルに接触する先端部が径方向および軸方向に変位することを特徴とするノイズ吸収装置。
【請求項２】
前記ケーブル押さえ片は前記略半円筒の軸に対して傾斜して形成されたことを特徴とする請求項１に記載のノイズ吸収装置。
【請求項３】
前記ケーブル押さえ片の先端部は刃状の鋭角断面を有し、他端はケース外周部に連結していることを特徴とする請求項１または２に記載のノイズ吸収装置。
【請求項４】
前記ケース分割体は、絶縁性および弾力性を有する高分子材料を用いて一体成形されたことを特徴とする請求項１から３のいずれかに記載のノイズ吸収装置。
【請求項５】
前記ケース分割体のケース外周部には、一対のＵ字状欠損部が形成され、前記Ｕ字状欠損部の内側の高分子材料片を前記略半円筒の軸に近づけるように湾曲して形成された磁性体コア押し用ばね片が設けられたことを特徴とする請求項１から４のいずれかに記載のノイズ吸収装置。
【請求項６】
前記磁性体コア片の外周面には、前記対向接触面に略平行な平面が設けられたことを特徴とする請求項１から５のいずれかに記載のノイズ吸収装置。
【発明の詳細な説明】
【０００１】
【発明の属する技術分野】
本発明は、電気接続用ケーブルの輻射雑音あるいは誘導雑音を吸収する筒状の磁性体コアを有するノイズ吸収装置に関する。
【０００２】
【従来の技術】
従来、電子機器相互間を接続する信号ケーブルあるいは電源ケーブルからの輻射雑音や誘導雑音を防止するために、これらのケーブルに分割型の筒状磁性体コアを内部に収納したコアケースからなるノイズ吸収装置が用いられている。
【０００３】
この種のノイズ吸収装置は、例えば特許文献１に雑音電流吸収具として開示されている。
【０００４】
【特許文献１】
特許２９３８４４６号公報
【０００５】
図７に、その構造を斜視図で示す。絶縁樹脂製のケース１は２分割されて半ケース部２、３となり、それぞれは樹脂製のヒンジ４、５で接続され、他端に係止用凸部６、７と係止用凹部８、９を各々有し、２分割された筒状のコアの各片を各々収納し、その間にケーブルを挟んだ後、これを閉じた時、ケース開口部２１０の内側に設置された突起部２１１の間にケーブルを挟んで当該ノイズ吸収装置がケーブル上で動かないように取り付けられ、一対のコア片がケーブル外周に閉磁路を形成することでノイズ吸収作用が得られる。
【０００６】
他の従来例として、一対のフェライト相互間に設けられたケーブル挿通路を有するノイズ吸収装置が、次の特許文献２に開示されている。
【０００７】
【特許文献２】
特許２６６２３０号公報
【０００８】
【発明が解決しようとする課題】
上述した、特許文献１のノイズ吸収装置は、関口部２１０の内側に設置された突起部２１１によりケーブルを挟んだ後これを閉じた時、ケーブルの外周に接触しケーブル上で動かないように取り付けられるが、適用できるケーブル径の範囲が限定されるという欠点があった。
【０００９】
また、この方式の場合、突起部２１１のケーブルに対する保持力が弱く、例えば、図７に示した突起部の直角方向ｘへの移動は起こりにくいが、平行方向ｙには容易に移動するので取り付け箇所の制約や取り付け方によってノイズ吸収作用が低下するという問題も発生する。
【００１０】
また、特許文献２のノイズ吸収装置は、ケーブル径の変化に対応できる機能を備えているが、ケーブルへの固定構造が複雑になっている。例えば、ケーブル押さえ片が、側面板の内側に設けられた構造などである。
【００１１】
この状況において、本発明の課題は、単純な構造で、ケーブルの径の大小に柔軟に対応して、確実な固定を行うことができるノイズ吸収装置を提供することである。
【００１２】
【課題を解決するための手段】
上述した課題を解決するため、本発明のノイズ吸収装置は、電気ケーブルを貫通させる筒状磁性体コアを前記筒状磁性体コアの軸を含む平面で分割してなる一対の磁性体コア片と、前記磁性体コア片をそれぞれ収納する略半円筒状の一対のケース分割体と、前記ケーブルへの装着時には、前記一対の磁性体コア片を対向接触させて前記筒状磁性体コアを形成すると共に、前記一対のケース分割体を結合してケースを形成する結合手段とを備えるノイズ吸収装置であって、前記ケース分割体は、前記略半円筒の円筒面であるケース外周部と、前記略半円筒の端部に設けられた開口半部と、前記ケース外周部および前記開口半部の間に形成された切り欠き部と、隣接する２つの前記切り欠き部の間に形成されたケーブル押さえ片とを有し、前記開口半部は前記ケーブルへの装着時には前記ケーブルが通過する開口部を形成し、前記切り欠き部は、前記磁性体コア片の対向接触面に略垂直かつ前記略半円筒の軸に平行な２つの平面に沿って形成され、前記ケーブル押さえ片は、前記ケーブルへの装着時には、前記ケース分割体の材質および前記切り欠き部の形状に応じて付与されたばね性に従って変形して、前記ケーブルに接触する先端部が径方向および軸方向に変位することを特徴とする。
【００１３】
また、前記ケーブル押さえ片は前記略半円筒の軸に対して傾斜して形成するとよい。
【００１４】
また、前記ケーブル押さえ片の先端部は刃状の鋭角断面を有し、他端はケース外周部に連結しているとよい。
【００１５】
また、前記ケース分割体は、絶縁性および弾力性を有する高分子材料を用いて一体成形されるとよい。
【００１６】
また、前記ケース分割体のケース外周部には、一対のＵ字状欠損部が形成され、前記Ｕ字状欠損部の内側の高分子材料片を前記略半円筒の軸に近づけるように湾曲して形成された磁性体コア押し用ばね片が設けられるとよい。
【００１７】
そして、前記磁性体コア片の外周面には、前記対向接触面に略平行な平面が設けられるとよい。
【００１８】
【発明の実施の形態】
次に、本発明の実施の形態を説明する。
【００１９】
先ず、電気ケーブルを貫通させる筒状磁性体コアを、２分割された磁性体コア片から形成して、磁性体の閉磁路を形成し、ノイズ吸収を行う様子を説明する。
【００２０】
対をなす厚肉の半円筒状磁性体コア片の対向接触部は高精度の平行度および面精度に仕上げる。また、その外周部には対向接触面に平行な面を形成して、ケースを閉じたときに、ケース外周部からの力が均一に印加されるようにする。さらに磁性体コア片の端面には、ケース分割体を開いた状態において、磁性体コア片が脱落しないように、端面凹部を形成して、ケース分割体に設けられた磁性体コア保持用片との係合に用いる。
【００２１】
また、対をなすケース分割体はヒンジ部により連繋している。さらに、一方に設けられた係止部と他方に設けられた係止爪によって閉じた状態が固定して維持される。
【００２２】
このとき、ケース外周部に設けられた磁性体コア押し用ばね片が磁性体コア片の外周部の平面を円筒の中心方向に押圧する。このようにして、筒状磁性体コアが形成される。
【００２３】
次に、半円筒状磁性体コア片を収納した一対のケース分割体が閉じられて、ケーブルに固定される様子を説明する。
【００２４】
本実施の形態のケース分割体は、絶縁性および弾力性を有する高分子材料を一体成形して作製する。
【００２５】
その形状は略半円筒状であり、ケーブル押さえ片がケース端面の切り欠き部に挟まれた領域として、ケース外周部から開口部に向かって、ケーブルの軸に対して傾斜して形成されている。また、ケーブル押さえ片のケーブルに接触する先端部は鋭角断面を有し、他端はケース外周部に連結している。
【００２６】
この形状により、ケーブル押さえ片は開口部の径方向および軸方向へ変位するように、ばね性を有しており、ケーブル径の大小に追従してノイズ吸収装置を所定の位置に確実に装着することができる。従って、ずれによるノイズ吸収作用の変動が発生しない。
【００２７】
また、ケース分割体の外周面にはＵ字状の欠損部が形成され、その内側の高分子材料がばね片となって、既に説明したように、磁性体コア片を中心軸方向に加圧して、固定することにより、磁性体による確実な閉磁路が形成されてノイズ吸収がなされる。
【００２８】
【実施例】
本発明の一実施例を図面を用いて説明する。
【００２９】
図１は開いた状態での本実施例のノイズ吸収装置の平面図であり、図２は図１のＡ−Ａ線上の断面図であり、図３は図１のＢ−Ｂ線上の断面図である。
【００３０】
また、図４は、本実施例のノイズ吸収装置においてケースを閉じた状態を示し、図４（ａ）はその端部を示す正面図であり、図４（ｂ）はその外観を模式的に示す斜視図である。
【００３１】
図１に示すように、磁性体コア片１０、１１は、ケース分割体１２、１３に収納されている。
【００３２】
ここで、磁性体コア片１０、１１は筒状磁性体コアを筒の中心軸を含む平面で２分割した半円筒形状であり、対向接触面１０１、１１１、１０２、１１２は研削等を行い平面度および平行度の高い状態となっている。
【００３３】
また、磁性体コア片１０、１１には半円筒凹部１０３、１１３が設けられている。
【００３４】
ケース分割体１２、１３は絶縁性および弾力性を有する高分子材料で一体成形され、その内部には磁性体コア保持用片１２１、１３１、１２２、１３２が設けられ、磁性体コア片１０、１１の端面に設けられた端面凹部１０４、１１４、１０５、１１５と係合して、磁性体コア片１０、１１を保持する。
【００３５】
また、ケース分割体１２、１３はヒンジ部１４、１５により折り曲げ可能に一体結合され、ケースの側壁には２つの係止爪１６、１７があり、反対側の側壁にはその係止爪１６、１７と係合する２つの係止部１８、１９が突設されている。
【００３６】
このケース分割体１２、１３が閉じられたとき、略円筒形状をなし、その両端部には、中心軸のまわりに、図３または図４に示す開口部１６０が形成され、この開口部１６０とケース分割体１２、１３のケース外周部の間の領域に切り欠き部１５１〜１５８が設けられ、隣接する２つの切り欠き部の間にはケーブル押さえ片１２３、１３３、１２４、１３４が設けられている。
【００３７】
さらに、図３または図４（ｂ）に示すように、このケーブル押さえ片１２３、１３３、１２４、１３４は、ケース外周部から開口部１６０に向かって斜めに突出している。その結果、略円筒形状の径方向および軸方向に変位するように、切り欠き部１５１〜１５８の形状および高分子材料の弾性変形に応じたばね性が付与されて、ケーブル径の変化に追従できるようになっている。
【００３８】
図５は、本実施例のノイズ吸収装置の使用状態における右側面断面図である。
【００３９】
ケーブル押さえ片１２３、１３３、１２４、１３４の先端部は、ケーブルへの固定が確実になるように、その断面が鋭角の刃状に設定されており、同じく先端部には凹部を有することで、ケーブルが筒状磁性体コアの内径中心部に容易に位置決めされて保持される作用と、ケーブルへの食いつき効果を向上させる作用とを兼ね備える。
【００４０】
ここで、図４（ａ）に示す直径Ｄが本実施例のノイズ吸収装置の装着可能な最大ケーブル径を示し、幅ｄは固定可能なケーブル径のほぼ最小値を示す。
【００４１】
図４（ｂ）において、開口部１６０のまわりにケーブル押さえ片１３３、１３４、並びに切り欠き部１５１、１５２、１５５、１５６が設けられ、磁性体コア片の対向接触面はケース合わせ面１７０に略一致するので、その切り欠き部１５１、１５２、１５５、１５６は磁性体コア片の対向接触面に略垂直かつ円筒軸に平行な２つの平面に沿って設けられている。この方向に切り欠き部を形成することにより、ケースを閉じるときに、ケーブルに加えられる力の方向を効果的に制御することができる。
【００４２】
図５に示したケーブル２０を磁性体コア片１０、１１の半円筒凹部１０３、１１３に通し、ケース分割体１２、１３を、図１に示したヒンジ部１４、１５から折り曲げて、係止爪１６、１７と係止部１８、１９を結合させてケースを閉じる。
【００４３】
この際、図５に示したように、ケース分割体１２、１３の底面部および上面部に形成された磁性体コア押し用ばね片３０、３１、３２、３３により磁性体コア片１０、１１が互いに突き当てられ密着した状態となりケーブルの外周に磁性体の閉磁路を形成することでノイズ吸収作用が得られる。
【００４４】
これと同時にケーブル押さえ片１２３、１２４、１３３、１３４がケーブル２０の外周と接触し、径方向および軸方向に変位すると共に、そのばね性によりケーブル２０を確実に押さえることが出来る。
【００４５】
次に、ケース分割体１３において、高分子材料にＵ字状の欠損部を設けることによって、ばね性を付与した様子を図６を用いてさらに説明する。図６は、ケースを閉じた状態における模式的な平面図である。１６１および１６２はＵ字状欠損部であり、磁性体コア押し用ばね片３２、３３は内側（図面の裏側）に湾曲して形成されている。この形状により、磁性体コア片の外周部を中心方向に有効に押圧して、筒状磁性体コアを形成することができる。
【００４６】
ところで、ケーブル押さえ片１２４の両側の切り欠き部１５３、１５４、並びにケーブル押さえ片１３４の両側の切り欠き部１５１、１５２は、図６に示すとおりである。このとき、磁性体コア片の対向接触面は紙面に平行に設置されているので、切り欠き部１５１〜１５４は磁性体コア片の対向接触面に垂直かつ円筒軸に平行な２つの平面内に沿っている。このような切り欠き部を高分子材料のケースに形成したことにより、そのばね力を有効に利用して、本実施例のノイズ吸収装置をケーブルに装着することができる。
【００４７】
【発明の効果】
以上に説明したように、本発明によれば、装着するケーブル径が一定でない場合でも、ばね性を有するケーブル押さえ片によりケーブルに確実に固定して装着でき、取り付け状態やノイズ吸収作用にばらつきを生じないノイズ吸収装置を提供することが出来る。
【図面の簡単な説明】
【図１】本発明のノイズ吸収装置のケースを開いた状態を示す平面図。
【図２】図１のＡ−Ａ断面図。
【図３】図１のＢ−Ｂ断面図。
【図４】本発明のノイズ吸収装置のケースを閉じた状態における外観を示す図。図４（ａ）は端部を示す正面図、図４（ｂ）は外観を示す模式的な斜視図。
【図５】本発明のノイズ吸収装置のケースをケーブルに装着した状態を示す右側面断面図。
【図６】本発明のノイズ吸収装置のケースを閉じた状態における模式的平面図。
【図７】従来のノイズ吸収装置を示す斜視図。
【符号の説明】
１０，１１    磁性体コア片
１２，１３    ケース分割体
１４，１５    ヒンジ部
１６，１７    係止爪
１８，１９    係止部
２０    ケーブル
３０，３１，３２，３３    磁性体コア押し用ばね片
１０１，１０２，１１１，１１２    対向接触面
１０３，１１３    半円筒凹部
１０４，１０５，１１４，１１５    端面凹部
１２１，１２２，１３１，１３２    磁性体コア保持用片
１２３，１２４，１３３，１３４    ケーブル押さえ片
１５１〜１５８    切り欠き部
１６０    開口部
１６１，１６２    Ｕ字状欠損部
１７０    ケース合わせ面
【図１】
2004193316.tif 000003
【図２】
2004193316.tif 000004
【図３】
2004193316.tif 000005
【図４】
2004193316.tif 000006
【図５】
2004193316.tif 000007
【図６】
2004193316.tif 000008
【図７】
2004193316.tif 000009